(57)【要約】【課題】機種の異なる情報機器を着脱可能な撮影装置及び撮影システムを提供する。【解決手段】撮影装置を、撮影装置本体と、撮影装置本体に取り付けられており、所定の情報機器を撮影装置本体に付勢して撮影装置本体との間で挟持する挟持部とから構成する。【選択図】図１
2015184302.tif 000002
【特許請求の範囲】
【請求項１】
撮影装置本体と、
前記撮影装置本体に取り付けられており、所定の情報機器を該撮影装置本体に付勢して該撮影装置本体との間で挟持する挟持部と、を備える、
撮影装置。
【請求項２】
前記挟持部は、
前記撮影装置本体に回転可能に支持されたアーム部と、
前記回転可能に支持されたアーム部を、該アーム部と対向する撮影装置本体の外壁面側に付勢する付勢部と、を備え、
前記所定の情報機器は、前記付勢部により付勢されたアーム部と前記外壁面との間で挟持される、
請求項１に記載の撮影装置。
【請求項３】
被写体を撮影するための撮影レンズ
を更に備え、
前記アーム部と対向する外壁面は、前記撮影レンズが取り付けられる面の反対側の面である、
請求項２に記載の撮影装置。
【請求項４】
前記付勢部は、
一端が前記アーム部に掛けられ他端が前記撮影装置本体に掛けられることにより、該アーム部を、該アーム部と対向する撮影装置本体の外壁面側に付勢するねじりばねである、
請求項２又は請求項３に記載の撮影装置。
【請求項５】
前記付勢部は、
前記アーム部に備えられたアーム部側磁石と前記撮影装置本体に備えられた本体側磁石を有し、
前記所定の情報機器は、前記アーム部側磁石と前記本体側磁石とが引き合うことにより、前記アーム部と前記外壁面との間で挟持される、
請求項２又は請求項３に記載の撮影装置。
【請求項６】
前記アーム部は、前記撮影装置本体の水平方向と直交する鉛直方向に長く形成されており、かつ該水平方向に回転軸の軸線があり、
前記挟持部は、
前記水平方向に間隔を空けて並ぶ一対の前記アーム部を備え、かつ該一対のアーム部間を架設された架設部を備え、
前記一対のアーム部及び前記架設部は一体に形成されている、
請求項２から請求項５のいずれか一項に記載の撮影装置。
【請求項７】
前記撮影装置本体に取り付けられており、該撮影装置本体の水平方向において前記所定の情報機器を付勢することにより、前記挟持部によって挟持された該情報機器の該水平方向における移動を規制する押さえ部を更に備える、
請求項６に記載の撮影装置。
【請求項８】
請求項１から請求項７のいずれか一項に記載の撮影装置と、
前記挟持部と前記外壁面との間に挟持された所定の情報機器と、を備える、
撮影システム。
【発明の詳細な説明】
【技術分野】
【０００１】
本発明は、情報機器を取り付け可能な撮影装置及び撮影システムに関する。
【背景技術】
【０００２】
液晶ディスプレイ等の表示デバイスを備える撮影装置が知られている。この種の撮影装置では、被写体を撮影した撮影画像を表示デバイスに表示させることにより、撮影画像を撮影直後に確認することができる。また、特許文献１には、表示デバイスを着脱可能な撮影装置が開示されている。
【０００３】
特許文献１に記載の撮影装置では、表示デバイスと画像データを記憶するためのメモリを一つの表示ユニットに収納し、表示ユニットを撮影装置本体から着脱可能としている。これにより、表示ユニットを撮影装置本体から取り外した状態においても、表示ユニットで撮影画像を確認することができる。
【先行技術文献】
【特許文献】
【０００４】
【特許文献１】特開平１１−１７７８５５号公報
【発明の概要】
【発明が解決しようとする課題】
【０００５】
特許文献１に記載の撮影装置では、撮影装置本体と表示ユニットとの間で機械的及び電気的な着脱機構を対応させておく必要がある。そのため、機種の異なる表示ユニットや表示デバイスを備える情報機器を撮影装置に取り付けることができず、汎用性がなかった。
【０００６】
本発明は上記の事情に鑑みてなされたものであり、機種の異なる情報機器を着脱可能な撮影装置及び撮影システムを提供することを目的とする。
【課題を解決するための手段】
【０００７】
上記の課題を解決する本発明の実施形態のかかる撮影装置は、撮影装置本体と、撮影装置本体に取り付けられており、所定の情報機器を撮影装置本体に付勢して撮影装置本体との間で挟持する挟持部とを備える。
【０００８】
このような構成によれば、挟持部と撮影装置本体とによって挟持可能な寸法及び形状を有していれば、機種に依らず様々な情報機器を撮影装置に取り付けることができる。
【０００９】
また、挟持部は、撮影装置本体に回転可能に支持されたアーム部と、回転可能に支持されたアーム部を、アーム部と対向する撮影装置本体の外壁面側に付勢する付勢部とを備えてもよい。この場合、所定の情報機器は、付勢部により付勢されたアーム部と撮影装置本体の外壁面との間で挟持される。
【００１０】
また、撮影装置は、被写体を撮影するための撮影レンズを更に備えてもよい。この場合、アーム部と対向する外壁面は、撮影レンズが取り付けられる面の反対側の面である。
【００１１】
また、付勢部は、例えば、一端がアーム部に掛けられ他端が撮影装置本体に掛けられることにより、アーム部を、アーム部と対向する撮影装置本体の外壁面側に付勢するねじりばねである。
【００１２】
また、付勢部は、アーム部に備えられたアーム部側磁石と撮影装置本体に備えられた本体側磁石を有してもよい。この場合、所定の情報機器は、アーム部側磁石と本体側磁石とが引き合うことにより、アーム部と外壁面との間で挟持される。
【００１３】
また、アーム部は、例えば、撮影装置本体の水平方向と直交する鉛直方向に長く形成されており、かつ水平方向に回転軸の軸線がある。この場合、挟持部は、水平方向に間隔を空けて並ぶ一対のアーム部を備え、かつ一対のアーム部間を架設された架設部を備えてもよい。この場合、一対のアーム部及び架設部は一体に形成されている。
【００１４】
また、撮影装置は、撮影装置本体に取り付けられており、撮影装置本体の水平方向において所定の情報機器を付勢することにより、挟持部によって挟持された情報機器の水平方向における移動を規制する押さえ部を更に備えてもよい。
【００１５】
本発明の実施形態のかかる撮影システムは、上記の撮影装置と、挟持部と撮影装置本体の外壁面との間に挟持された所定の情報機器とを備える。
【発明の効果】
【００１６】
本実施形態によれば、機種の異なる情報機器を着脱可能な撮影装置及び撮影システムが提供される。
【図面の簡単な説明】
【００１７】
【図１】本発明の実施形態にかかる撮影装置の斜視図である。
【図２】本発明の実施形態にかかる撮影装置のブロック図である。
【図３】本発明の実施形態にかかる撮影装置の拡大図である。
【図４】本発明の実施形態にかかる撮影装置の拡大図である。
【図５】本発明の実施形態にかかる撮影装置の断面図である。
【図６】本発明の実施形態にかかる撮影装置の斜視図である。
【図７】本発明の実施形態の変形例にかかるクリップ式ホルダの斜視図である。
【図８】本発明の実施形態に変形例にかかるクリップ式ホルダの斜視図である。
【発明を実施するための形態】
【００１８】
以下、本発明の実施形態の撮影装置について図面を参照しながら説明する。図１（ａ）、図１（ｂ）はそれぞれ、本実施形態の撮影装置１の斜視図である。撮影装置１は、筐体１０の正面側にレンズ部１１を備えており、背面側にＬＣＤ（Liquid Crystal Display）１１０を備えている。撮影装置１の筐体１０には、複数の操作部１０１が適宜配置されている。また、筐体１０には、ユーザが筐体１０を把持しやすいように、グリップ部１２が設けられている。グリップ部１２は、筐体１０の背面に対して所定の高さ突出した形状を有している。筐体１０の内部には、撮影装置１を駆動するための電気回路や記憶領域が設けられている。以下では、説明の便宜上、筐体１０のレンズ部１１が設けられている側（正面側）を前方、ＬＣＤ１１０が設けられている側（背面側）を後方と定義する。また、図１（ａ）及び図１（ｂ）に示されるように、前後方向と直交し且つ互いに直交する２方向に上下方向及び左右方向を定義する。上下方向、左右方向はそれぞれ、撮影装置１を正位置で配置した場合における鉛直方向、水平方向と平行である。
【００１９】
図２は、撮影装置１の構成を示すブロック図である。図２に示されるように、撮影装置１は、ＣＰＵ（Central Processing Unit）１００、操作部１０１、駆動回路１０２、シャッタ１０３、イメージセンサ１０４、信号処理回路１０５、画像処理エンジン１０６、バッファメモリ１０７、カード用インタフェース１０８、ＬＣＤ制御回路１０９、ＬＣＤ１１０、ＲＯＭ（Read Only Memory）１１１及び外部接続インタフェース１１２を備えている。また、撮影装置１は、撮影レンズ１２０、レンズ駆動部１２１、絞り１２２を備えている。
【００２０】
操作部１０１には、電源スイッチやレリーズスイッチ、撮影モードスイッチ等、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１１１にアクセスして制御プログラムを読み出してワークエリア（不図示）にロードし、ロードされた制御プログラムを実行することにより、撮影装置１全体の制御を行う。
【００２１】
ＣＰＵ１００は、撮影装置１に内蔵されたＴＴＬ（Through The Lens）露出計（不図示）で測定された測光値に基づき適正露出が得られるように、駆動回路１０２を介して絞り１２２及びシャッタ１０３を駆動制御する。より詳細には、絞り１２２及びシャッタ１０３の駆動制御は、プログラムＡＥ（Automatic Exposure）、シャッタ速度優先ＡＥ、絞り優先ＡＥ等、撮影モードスイッチにより指定されるＡＥ機能に基づいて行われる。また、レンズ駆動部１２１の駆動制御（以下、ＡＦ制御）は、ＡＦ（Autofocus）機能に基づいて行われる。ＡＦ制御には、アクティブ方式、位相差検出方式、コントラスト検出方式等が適用される。ＡＦ制御が行われると、駆動回路１０２を介してレンズ駆動部１２１が駆動制御される。これにより、撮影レンズ１２０が駆動されて焦点距離が調節され、被写体にピントが合わせられる。
【００２２】
被写体からの光束は、撮影レンズ１２０、絞り１２２、シャッタ１０３を通過してイメージセンサ１０４により受光される。イメージセンサ１０４には、例えばＣＣＤ（Charge Coupled Device）イメージセンサやＣＭＯＳ（Complementary Metal Oxide Semiconductor）イメージセンサが用いられる。イメージセンサ１０４は、撮像面上の各画素で結像した光学像を光量に応じた電荷として蓄積して電気信号に変換し、信号処理回路１０５に出力する。信号処理回路１０５は、イメージセンサ１０４から入力される電気信号（撮影データ）に対して所定の信号処理を施して、画像処理エンジン１０６に出力する。
【００２３】
画像処理エンジン１０６は、信号処理回路１０５から入力される信号に対して色補間、マトリクス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１０７は、画像処理エンジン１０６による処理の実行時、処理データの一時的な保存場所として用いられる。
【００２４】
カード用インタフェース１０８のカードスロットには、メモリカード１３０が着脱可能に差し込まれている。
【００２５】
画像処理エンジン１０６は、カード用インタフェース１０８を介してメモリカード１３０と通信可能である。画像処理エンジン１０６は、生成された圧縮画像信号（撮影画像データ）をメモリカード１３０（又は撮影装置１に備えられる不図示の内蔵メモリ）に保存する。
【００２６】
また、画像処理エンジン１０６は、Ｙ／Ｃ分離後の信号に所定の信号処理を施して、フレームメモリ（不図示）にフレーム単位でバッファリングする。画像処理エンジン１０６は、バッファリングされた信号を所定のタイミングで各フレームメモリから掃き出して所定のフォーマットのビデオ信号に変換し、ＬＣＤ制御回路１０９に出力する。ＬＣＤ制御回路１０９は、画像処理エンジン１０６から入力される画像信号を基にＬＣＤ１１０の液晶を変調制御する。これにより、被写体の撮影画像がＬＣＤ１１０に表示される。ユーザは、ＡＥ制御及びＡＦ制御に基づいて適正な輝度及びピントで撮影されたリアルタイムのスルー画を、ＬＣＤ１１０を通じて視認することができる。
【００２７】
画像処理エンジン１０６は、ユーザにより撮影画像の再生操作が行われると、操作により指定された撮影画像データをメモリカード１３０又は内蔵メモリから読み出して所定のフォーマットの画像信号に変換し、ＬＣＤ制御回路１０９に出力する。ＬＣＤ制御回路１０９が画像処理エンジン１０６より入力される画像信号を基にＬＣＤ１１０の液晶を変調制御することで、被写体の撮影画像がＬＣＤ１１０に表示される。
【００２８】
外部接続インタフェース１１２は、外部の情報機器１４０と接続するためのインタフェースである。図２に示されるように、情報機器１４０は、表示画面１４１を備えており、例えば、タブレット端末、ＰＨＳ、スマートフォン、フィーチャーフォン、携帯ゲーム機である。
【００２９】
外部接続インタフェース１１２は、ＨＤＭＩ（登録商標）、ＵＳＢ（Universal Serial Bus）等の有線接続プロトコルや、Ｗｉ−Ｆｉ（登録商標）、Ｂｌｕｅｔｏｏｔｈ（登録商標）、ＩｒＤＡ（登録商標）等の無線接続プロトコルを用いて外部の情報機器１４０と通信可能である。撮影画像データは、外部接続インタフェース１１２を介して情報機器１４０へ転送される。情報機器１４０は、転送された撮影画像データをローカル又はネットワーク上のＵＲＩ（Uniform Resource Identifier）に保存する。情報機器１４０は、例えば、ユーザによる操作に従い、ローカル又はネットワーク上のＵＲＩに保存された撮影画像データをデコードし、デコードにより得られた撮影画像を表示画面１４１に表示する。
【００３０】
また、情報機器１４０の表示画面１４１には、例えば、ＬＣＤ１１０と同期した内容（静止画やスルー画）を表示させることもできる。一例として、ユーザにより撮影画像（静止画）の再生操作が行われた場合を考える。この場合、画像処理エンジン１０６は、操作により指定された撮影画像（静止画）をＬＣＤ１１０に表示すると共に外部接続インタフェース１１２を介して情報機器１４０へ転送し、ＬＣＤ１１０に表示されている撮影画像と同一のものを表示画面１４１に表示させる。
【００３１】
次に、撮影装置１の筐体１０に設けられたホルダについて説明する。図１（ｂ）に示されるように、撮影装置１の背面部にはクリップ式ホルダ１５０及びスライド式ホルダ１６０が取り付けられている。クリップ式ホルダ１５０及びスライド式ホルダ１６０は、スマートフォンやフィーチャーフォン等である情報機器１４０を筐体１０に取り付けるために用いられる。
【００３２】
クリップ式ホルダ１５０は、図１（ｂ）に示されるように、左右方向に間隔を空けて並ぶ一対の平板状のアーム２０５ａ、２０５ｂを備えている。アーム２０５ａとアーム２０５ｂとの間には架設部２０５ｃが設けられており、一対のアーム２０５ａ、２０５ｂ及び架設部２０５ｃは一体に形成されている。各アーム２０５ａ、２０５ｂは、左右方向と直交する上下方向に長尺な平板状を有している。
【００３３】
図３（ａ）、図３（ｂ）はそれぞれ、撮影装置１のクリップ式ホルダ１５０の右側の端部近傍を拡大した斜視図、側面図である。図３（ａ）及び図３（ｂ）に示されるように、クリップ式ホルダ１５０（アーム２０５ａの根元部分）には、円柱状の突起（係合部２００ａ）が形成されており、グリップ部１２には、係合部２００ａと同軸の円柱状の窪み（被係合部２０１ａ）が形成されている。係合部２００ａは、被係合部２０１ａに緩く係合し支持されている。
【００３４】
図４は、撮影装置１のクリップ式ホルダ１５０の左側の端部近傍を拡大した斜視図である。図４に示されるように、クリップ式ホルダ１５０には、円柱状の突起（係合部２００ｂ）が形成されている。また、筐体１０は出っ張り部２０２を有している。出っ張り部２０２には、係合部２００ｂと同軸の円柱状の窪み（被係合部２０１ｂ）が形成されている。係合部２００ｂは、被係合部２０１ｂに緩く係合し支持されている。
【００３５】
このように、クリップ式ホルダ１５０は、両端部に形成された一対の係合部２００ａ、２００ｂが筐体１０（グリップ部１２、出っ張り部２０２）に形成された、対応する被係合部（２０１ａ、２０１ｂ）に緩く係合し支持されている。すなわち、クリップ式ホルダ１５０は、一対の係合部２００ａ、２００ｂを回転軸として筐体１０に対して回転可能に支持されている。
【００３６】
また、図３（ａ）及び図３（ｂ）に示されるように、係合部２００ａの周りには、ねじりばね２０３が取り付けられている。ねじりばね２０３の一端２０３ａは、クリップ式ホルダ１５０に設けられたピン２０４ａに掛けられ、他端２０３ｂは、筐体１０に設けられたピン２０４ｂに掛けられている。これにより、クリップ式ホルダ１５０には、ねじりばね２０３から、図３（ａ）及び図３（ｂ）内に示される方向Ａに（筐体１０の背面側に向かって）回転するように付勢力が加えられる。
【００３７】
クリップ式ホルダ１５０にねじりばね２０３以外から外力が加わっていない場合、アーム２０５ａ、２０５ｂは閉状態となる。閉状態では、アーム２０５ａ、２０５ｂの一部（例えば、アーム２０５ａ、２０５ｂの端部２０６ａ、２０６ｂ）は、ねじりばね２０３からの付勢力によって筐体１０の背面側に付勢される。クリップ式ホルダ１５０は、筐体１０の背面と対向する面に当て付き部（不図示）が取り付けられた構成であってもよい。この構成の閉状態では、当て付き部がねじりばね２０３からの付勢力によって筐体１０に付勢されて当て付く。そのため、アーム２０５ａ、２０５ｂは、筐体１０の背面と微小な（数ｍｍ〜１ｃｍ程度）の隙間を保った状態で保持される。
【００３８】
クリップ式ホルダ１５０に対して、図３（ａ）及び図３（ｂ）に示される方向Ｂに（筐体１０の背面から離れる方向に）ねじりばね２０３からの付勢力よりも大きな外力が加えられると、アーム２０５ａ、２０５ｂは開状態となる。開状態では、アーム２０５ａ、２０５ｂと筐体１０の背面との隙間は、外力に応じて大きくなる。
【００３９】
図５は、図１（ｂ）に示される線Ｘ−Ｘ´における撮影装置１の断面図である。図５に示されるように、スライド式ホルダ１６０と筐体１０は、コイルばね２０７によって接続されている。コイルばね２０７は、スライド式ホルダ１６０を右側（グリップ部１２側）に付勢している。スライド式ホルダ１６０は、左方向にコイルばね２０７からの付勢力よりも大きな外力が加えられると、外力に応じて左方向へ移動する。
【００４０】
図６は、撮影装置１の斜視図を示し、クリップ式ホルダ１５０及びスライド式ホルダ１６０によって情報機器１４０が撮影装置１に取り付けられている状態を示す。以下では、情報機器１４０としてスマートフォンが撮影装置１に取り付けられている場合について説明する。
【００４１】
スマートフォン１４０が備える表示画面１４１は、ユーザによる操作入力が可能なタッチパネルである。スマートフォン１４０は、ユーザからタッチパネル（表示画面）１４１が見えるように、タッチパネル１４１が後方を向くように撮影装置１に取り付けられている。アーム２０５ａ、２０５ｂがスマートフォン１４０のタッチパネル１４１が設けられている面の一部を付勢することにより、スマートフォン１４０はアーム２０５ａ、２０５ｂと筐体１０（の背面）との間で挟持される。また、スマートフォン１４０は、右側の端部１４０ａがグリップ部１２の左側の側面に当て付き、左側の端部１４０ｂがスライド式ホルダ１６０に付勢されることにより、左右方向の移動が規制される。
【００４２】
このように、クリップ式ホルダ１５０によってスマートフォン１４０を挟持することにより、スマートフォン１４０を撮影装置１（筐体１０）に取り付けることができる。また、スライド式ホルダ１６０によってスマートフォン１４０の左右方向の移動を規制することにより、撮影装置１が正位置から傾いた場合に、スマートフォン１４０が撮影装置１から落下することが防止される。
【００４３】
スマートフォン１４０は、ＨＤＭＩ（登録商標）、ＵＳＢ等の有線接続プロトコル、又はＷｉ−Ｆｉ（登録商標）やＢｌｕｅｔｏｏｔｈ（登録商標）等の無線接続プロトコルを用いて撮影装置１と通信可能に接続される。また、スマートフォン１４０には、撮影装置１の動作を制御するためのソフトウェアがインストールされている。そのため、ユーザは、スマートフォン１４０のタッチパネル１４１に対して操作入力を行うことにより、通信接続を介して撮影装置１の動作を制御することができる。例えば、ユーザによりタッチパネル１４１に対して操作入力が行われると、操作入力に基づいて撮影装置１の撮影処理、撮影装置１からスマートフォン１４０への撮影画像（静止画、スルー画）や画像データの転送処理又は撮影装置１の各種設定や各種パラメータの変更処理が実行される。
【００４４】
なお、クリップ式ホルダ１５０及びスライド式ホルダ１６０によって撮影装置１に取り付けられる情報機器１４０は、特定の機種のスマートフォン１４０に限定されない。クリップ式ホルダ１５０及びスライド式ホルダ１６０は所定の可動範囲を有している。そのため、この可動範囲に収まる大きさ及び形状を有する種々の情報機器１４０を、撮影装置１に取り付けることができる。
【００４５】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００４６】
（変形例）
例えば、アーム２０５ａ、２０５ｂの情報機器１４０と接触する箇所には、ゴム等の摩擦係数の高い材質が形成されていてもよい。これにより、アーム２０５ａ、２０５ｂと筐体１０によって挟持される情報機器１４０が上下方向又は左右方向に動きにくくなり、情報機器１４０を撮影装置１により安定して取り付けることができる。
【００４７】
また、アーム２０５ａ、２０５ｂは、アクリル等の透明な材質で形成されていてもよい。これにより、アーム２０５ａ、２０５ｂが情報機器１４０の表示画面１４１にかかり、ユーザにとって表示画面１４１が見えにくくなることが防止される。
【００４８】
また、本実施形態では、筐体１０にはグリップ部１２が設けられているが、本発明はこの構成に限定されない。筐体１０は、グリップ部１２を有していなくてもよい。この場合、スライド式ホルダ１６０を用いて情報機器１４０の左右方向への移動を規制するために、筐体１０は、不図示の押さえ部を有している。押さえ部は、筐体１０の背面の、情報機器１４０を挟んでスライド式ホルダ１６０が設けられている側（左側）とは反対の側（右側）に設けられている。押さえ部は、筐体１０の背面から所定の高さ突出した構造を有している。情報機器１４０は、一端１４０ａが押さえ部に当て付き、他端１４０ｂがスライド式ホルダ１６０によって付勢されることにより、左右方向の移動が規制される。なお、押さえ部は、筐体１０に対して着脱可能であってもよい。
【００４９】
また、アーム２０５ａ、２０５ｂの形状は平板状に限定されない。図７は、本実施形態の変形例におけるクリップ式ホルダ１５０の一部の斜視図である。図７に示されるように、アーム２０５ａには、アーム２０５ａの右側の側面から前方へ延びるように形成された庇状部３００が設けられている。これにより、撮影装置１がグリップ１２を有していない場合においても、情報機器１４０は、一端１４０ａが庇状部３００に当て付き、他端１４０ｂがスライド式ホルダ１６０によって付勢されることにより、左右方向の移動が規制される。
【００５０】
また、アーム２０５ａ、２０５ｂの左右方向と直交する上下方向の長さは、図１に示される長さに限定されない。例えば、アーム２０５ａ、２０５ｂは、閉状態において、端部２０６ａ、２０６ｂが筐体１０の上端よりも上方に突出する長さを有していてもよい。また、クリップ式ホルダ１５０は、２つのアーム２０５ａ、２０５ｂを有しているが、本発明はこれに限定されない。クリップ式ホルダ１５０は、アームを一つだけ有していてもよく、三つ以上のアームを有していてもよい。
【００５１】
図８は、本実施形態の別の変形例におけるクリップ式ホルダ１５０の一部の斜視図である。図８に示されるように、アーム２０５ａは、左右方向と直交する上下方向に長く、端部２０６ａが前方に（筐体１０の背面側に）折れ曲がった形状を有している。これにより、アーム２０５ａの長さよりも幅の短い情報機器１４０を撮影装置１に取り付ける場合、アーム２０５ａの折れ曲がった形状によって情報機器１４０の上方向への移動が規制される。そのため、撮影装置１が正位置から傾いた場合に、情報機器１４０が落下することを防止できる。また、アーム２０５ｂも、図８に示されるアーム２０５ａと同様に、端部２０６ｂが前方に折れ曲がった形状を有していてもよい。また、アーム２０５ａ、２０５ｂは、下側から上側に向かうに従い、前方に向かって湾曲していてもよい。
【００５２】
また、アーム２０５ａ、２０５ｂはそれぞれ、端部２０６ａ、２０６ｂに磁石を備えていてもよい。この場合、筐体１０の、端部２０６ａ、２０６ｂとの対応する位置にはそれぞれ、端部２０６ａ、２０６ｂが備える磁石と引き合うように、磁石が備えられている。アーム２０５ａ、２０５ｂの状態が開状態から閉状態に変化すると、先端部２０６ａ、２０６ｂが備える磁石と筐体１０が備える磁石との間に互いに引き合う磁力が発生する。この磁力によってアーム２０５ａ、２０５ｂが情報機器１４０を筐体１０側に付勢することにより、情報機器１４０はアーム２０５ａ、２０５ｂと筐体１０との間で挟持される。このように、先端部２０６ａ、２０６ｂに磁石を設けることにより、ねじりばね２０３及びピン２０４ａ、２０４ｂが不要となり、クリップ式ホルダ１５０の構成を簡素にすることができる。なお、上記の変形例では、アーム２０５ａ、２０５ｂと筐体１０との両方に磁石が備えられているが、本発明はこれに限定されない。アーム２０５ａ、２０５ｂと筐体１０のいずれか一方に磁石が備えられ、他方には磁石と引き合う強磁性体（例えば、鉄やコバルト等）が備えられていてもよい。
【００５３】
また、係合部２００ａ、２００ｂ及び被係合部２０１ａ、２０１ｂは筐体１０の下側に形成されており、アーム２０５ａ、２０５ｂは筐体１０の下側から上側に向かって延びる形状を有しているが、本発明はこれに限定されない。係合部２００ａ、２００ｂ及び被係合部２０１ａ、２０１ｂは筐体１０の上側に形成されており、アーム２０５ａ、２０５ｂは筐体１０の上側から下側に向かって延びる形状を有していてもよい。
【００５４】
また、係合部２００ａ、２００ｂはクリップ式ホルダ１５０に形成されており、被係合部２０１ａ、２０１ｂは筐体１０に形成されているが、本発明はこれに限定されない。係合部２００ａ、２００ｂは筐体１０に設けられており、被係合部２０１ａ、２０１ｂはクリップ式ホルダ１５０に設けられていてもよい。
【００５５】
また、撮影装置１と情報機器１４０とが通信可能に接続されることにより、情報機器１４０の表示画面１４１をＬＣＤ１１０の代わりに使用することができる。そのため、撮影装置１は、ＬＣＤ制御回路１０９及びＬＣＤ１１０を備えていなくてもよい。また、撮影装置１は、ＬＣＤ制御回路１０９及びＬＣＤ１１０を備えておらず且つ情報機器１４０が接続されていない状態においても、撮影処理を実行できるように構成されていてもよい。
【００５６】
また、撮影装置１と情報機器１４０とが通信可能に接続されることにより、情報機器１４０を操作部１０１の代わりに使用することができる。そのため、撮影装置１は、操作部１０１の一部を備えていなくてもよい。これにより、撮影装置１の構成を簡素にすることができる。
【符号の説明】
【００５７】
１    撮影装置
１０    筐体
１１    レンズ部
１２    グリップ部
１００    ＣＰＵ
１０１    操作部
１０２    駆動回路
１０３    シャッタ
１０４    イメージセンサ
１０５    信号処理回路
１０６    画像処理エンジン
１０７    バッファメモリ
１０８    カード用インタフェース
１０９    ＬＣＤ制御回路
１１０    ＬＣＤ
１１１    ＲＯＭ
１１２    外部接続インタフェース
１２０    撮影レンズ
１２１    レンズ駆動部
１２２    絞り
１３０    メモリカード
１４０    情報機器（スマートフォン）
１４０ａ、１４０ｂ    端部
１４１    表示画面（タッチパネル）
１５０    クリップ式ホルダ
１６０    スライド式ホルダ
２００ａ、２００ｂ    係合部
２０１ａ、２０１ｂ    被係合部
２０２    出っ張り部
２０３    ねじりばね
２０３ａ    ねじりばねの一端
２０３ｂ    ねじりばねの他端
２０４ａ、２０４ｂ    ピン
２０５ａ、２０５ｂ    アーム
２０５ｃ    架設部
２０６ａ、２０６ｂ    端部
２０７    コイルばね
３００    庇状部
【図１】
2015184302.tif 000003
【図２】
2015184302.tif 000004
【図３】
2015184302.tif 000005
【図４】
2015184302.tif 000006
【図５】
2015184302.tif 000007
【図６】
2015184302.tif 000008
【図７】
2015184302.tif 000009
【図８】
2015184302.tif 000010